(57)【要約】【課題】  エアゾール製品の内容物の誤噴射の防止と、エアゾール製品の内容物の連続した噴射との少なくとも一方を実行することができるトリガー式エアゾール噴射器を提供する。【解決手段】  トリガー式エアゾール噴射器４０のボタン６０は、利用者によって操作されるトリガーレバー部６２と、ステム３１に接触するためのステム接触部６３と、ストッパー８０に接触するためのストッパー接触部６４とを備えており、ストッパー８０は、利用者によって操作される被操作部８２と、ストッパー接触部６４に接触するためのボタン接触部８３とを備えており、ストッパー８０は、矢印３１ａまたは矢印３１ｂで示すステム延在方向におけるステム接触部６３の位置の変化をボタン接触部８３でストッパー接触部６４に接触することによって防止する位置と、ステム延在方向におけるステム接触部６３の位置の変化の防止を解除する位置とに移動可能にカバー５０に支持されている。【選択図】  図６
2014001001.tif 000002
【特許請求の範囲】
【請求項１】
自身が延在する方向であるステム延在方向に押されることによってエアゾール製品の内容物の噴射を行うステムと、前記内容物を収納する容器に取り付けられるマウンティングカップとを備えたエアゾールバルブと組み合わせて使用されるトリガー式エアゾール噴射器であって、
前記容器および前記マウンティングカップの少なくとも一方に取り付けられるカバーと、前記カバーが前記容器および前記マウンティングカップの少なくとも一方に取り付けられた状態で利用者の操作に応じて前記ステム延在方向に前記ステムを押すトリガー式のボタンと、利用者の操作に応じて前記ボタンの位置の変化を防止するストッパーとを備えており、
前記ボタンは、利用者によって操作されるトリガーレバー部と、前記ステムに接触するためのステム接触部と、前記ストッパーに接触するためのストッパー接触部とを備えており、
前記ストッパーは、利用者によって操作される被操作部と、前記ストッパー接触部に接触するためのボタン接触部とを備えており、
前記ストッパーは、前記ステム延在方向における前記ステム接触部の位置の変化を前記ボタン接触部で前記ストッパー接触部に接触することによって防止する位置である位置変化防止位置と、前記ステム延在方向における前記ステム接触部の位置の変化の防止を解除する位置である位置変化防止解除位置とに移動可能に前記カバーに支持されていることを特徴とするトリガー式エアゾール噴射器。
【請求項２】
前記ステム延在方向における前記ステム接触部の位置は、前記ストッパーの位置が前記位置変化防止位置である場合、前記ステム接触部が前記ステムを押す方向である第１の方向における前記ボタン接触部の端が前記第１の方向の反対方向である第２の方向における前記ストッパー接触部の端に接触しているとき、前記ステム接触部が前記ステムを押す位置であり、前記第２の方向における前記ボタン接触部の端が前記第１の方向における前記ストッパー接触部の端に接触しているとき、前記ステム接触部が前記ステムを押す位置ではないことを特徴とする請求項１に記載のトリガー式エアゾール噴射器。
【請求項３】
前記トリガーレバー部が利用者によって引かれる方向と、前記被操作部が利用者によって移動させられる方向とは、略平行であることを特徴とする請求項１または請求項２に記載のトリガー式エアゾール噴射器。
【請求項４】
前記位置変化防止位置に対する前記位置変化防止解除位置の方向は、前記トリガーレバー部が利用者によって引かれる方向と略同一であることを特徴とする請求項３に記載のトリガー式エアゾール噴射器。
【請求項５】
前記ステム延在方向における前記ステム接触部の位置は、前記ストッパーの位置が前記位置変化防止位置である場合、前記ステム接触部が前記ステムを押す方向である第１の方向の反対方向である第２の方向における前記ボタン接触部の端が前記第１の方向における前記ストッパー接触部の端に接触しているとき、前記ステム接触部が前記ステムに接触しない位置であることを特徴とする請求項１から請求項４までの何れかに記載のトリガー式エアゾール噴射器。
【請求項６】
前記ステム延在方向における前記トリガーレバー部の位置は、前記ステム延在方向における前記被操作部の位置と比較して、前記ステム接触部が前記ステムを押す方向に存在することを特徴とする請求項１から請求項５までの何れかに記載のトリガー式エアゾール噴射器。
【請求項７】
請求項１から請求項６までの何れかに記載のトリガー式エアゾール噴射器と、前記容器と、前記容器に取り付けられた前記エアゾールバルブとを備えており、
前記トリガー式エアゾール噴射器の前記カバーは、前記容器および前記マウンティングカップの少なくとも一方に取り付けられていることを特徴とするエアゾール製品。
【発明の詳細な説明】
【技術分野】
【０００１】
本発明は、エアゾール製品の内容物を収納する容器に取り付けられるトリガー式エアゾール噴射器に関する。
【背景技術】
【０００２】
従来のトリガー式エアゾール噴射器として、自身が延在する方向であるステム延在方向に押されることによってエアゾール製品の内容物の噴射を行うステムと、この内容物を収納する容器に取り付けられるマウンティングカップとを備えたエアゾールバルブと組み合わせて使用されるトリガー式エアゾール噴射器であって、容器およびマウンティングカップに取り付けられるカバーと、カバーが容器およびマウンティングカップに取り付けられた状態で利用者の操作に応じてステム延在方向にステムを押すトリガー式のボタンとを備えているものが知られている（特許文献１、２参照。）。このボタンは、利用者によって操作されるトリガーレバー部を備えている。
【先行技術文献】
【特許文献】
【０００３】
【特許文献１】特開２００２−１２８１６４号公報
【特許文献２】特開２００３−２０００８７号公報
【発明の概要】
【発明が解決しようとする課題】
【０００４】
しかしながら、従来のトリガー式エアゾール噴射器は、利用者が意図せずにトリガーレバー部に負荷を加えてしまった場合にエアゾール製品の内容物を誤噴射してしまうという問題がある。
【０００５】
また、従来のトリガー式エアゾール噴射器は、エアゾール製品の内容物を連続して噴射する場合に利用者にトリガーレバー部を引き続けさせなければならないという問題もある。
【０００６】
そこで、本発明は、エアゾール製品の内容物の誤噴射の防止と、エアゾール製品の内容物の連続した噴射との少なくとも一方を実行することができるトリガー式エアゾール噴射器を提供することを目的とする。
【課題を解決するための手段】
【０００７】
本発明のトリガー式エアゾール噴射器は、自身が延在する方向であるステム延在方向に押されることによってエアゾール製品の内容物の噴射を行うステムと、前記内容物を収納する容器に取り付けられるマウンティングカップとを備えたエアゾールバルブと組み合わせて使用されるトリガー式エアゾール噴射器であって、前記容器および前記マウンティングカップの少なくとも一方に取り付けられるカバーと、前記カバーが前記容器および前記マウンティングカップの少なくとも一方に取り付けられた状態で利用者の操作に応じて前記ステム延在方向に前記ステムを押すトリガー式のボタンと、利用者の操作に応じて前記ボタンの位置の変化を防止するストッパーとを備えており、前記ボタンは、利用者によって操作されるトリガーレバー部と、前記ステムに接触するためのステム接触部と、前記ストッパーに接触するためのストッパー接触部とを備えており、前記ストッパーは、利用者によって操作される被操作部と、前記ストッパー接触部に接触するためのボタン接触部とを備えており、前記ストッパーは、前記ステム延在方向における前記ステム接触部の位置の変化を前記ボタン接触部で前記ストッパー接触部に接触することによって防止する位置である位置変化防止位置と、前記ステム延在方向における前記ステム接触部の位置の変化の防止を解除する位置である位置変化防止解除位置とに移動可能に前記カバーに支持されていることを特徴とする。
【０００８】
この構成により、本発明のトリガー式エアゾール噴射器は、ボタンのうちステムに接触するためのステム接触部の位置の変化をストッパーによって防止することができるので、エアゾール製品の内容物の誤噴射の防止と、エアゾール製品の内容物の連続した噴射との少なくとも一方を実行することができる。
【０００９】
また、本発明のトリガー式エアゾール噴射器において、前記ステム延在方向における前記ステム接触部の位置は、前記ストッパーの位置が前記位置変化防止位置である場合、前記ステム接触部が前記ステムを押す方向である第１の方向における前記ボタン接触部の端が前記第１の方向の反対方向である第２の方向における前記ストッパー接触部の端に接触しているとき、前記ステム接触部が前記ステムを押す位置であり、前記第２の方向における前記ボタン接触部の端が前記第１の方向における前記ストッパー接触部の端に接触しているとき、前記ステム接触部が前記ステムを押す位置ではなくても良い。
【００１０】
この構成により、本発明のトリガー式エアゾール噴射器は、エアゾール製品の内容物の誤噴射の防止と、エアゾール製品の内容物の連続した噴射との両方を１つのストッパーによって実行することができる。
【００１１】
また、本発明のトリガー式エアゾール噴射器において、前記トリガーレバー部が利用者によって引かれる方向と、前記被操作部が利用者によって移動させられる方向とは、略平行であっても良い。
【００１２】
この構成により、本発明のトリガー式エアゾール噴射器は、ボタンのトリガーレバー部と、ストッパーの被操作部とに操作方向における共通性があるので、利用者の操作性を向上することができる。
【００１３】
また、本発明のトリガー式エアゾール噴射器において、前記位置変化防止位置に対する前記位置変化防止解除位置の方向は、前記トリガーレバー部が利用者によって引かれる方向と略同一であっても良い。
【００１４】
この構成により、本発明のトリガー式エアゾール噴射器は、ボタンのトリガーレバー部が利用者によって引かれる方向と、トリガーレバー部が利用者によって引かれることができるようにするためにストッパーの被操作部が利用者によって操作される方向とが略同一であるので、ボタンのトリガーレバー部と、ストッパーの被操作部とに操作方向における強い共通性がある。したがって、本発明のトリガー式エアゾール噴射器は、利用者の操作性を更に向上することができる。
【００１５】
また、本発明のトリガー式エアゾール噴射器において、前記ステム延在方向における前記ステム接触部の位置は、前記ストッパーの位置が前記位置変化防止位置である場合、前記ステム接触部が前記ステムを押す方向である第１の方向の反対方向である第２の方向における前記ボタン接触部の端が前記第１の方向における前記ストッパー接触部の端に接触しているとき、前記ステム接触部が前記ステムに接触しない位置であっても良い。
【００１６】
この構成により、本発明のトリガー式エアゾール噴射器は、ストッパーの位置が位置変化防止位置である場合、第２の方向におけるストッパーのボタン接触部の端が第１の方向におけるボタンのストッパー接触部の端に接触しているとき、ステム延在方向におけるボタンのステム接触部の位置がステム接触部がステムに接触しない位置であるので、ステム接触部がステムに接触する構成と比較して、例えばボタンが衝撃を受けた場合に部材の変形などによってステム接触部がステムを押してしまう可能性を低減することができる。したがって、本発明のトリガー式エアゾール噴射器は、例えばボタンが衝撃を受けた場合にエアゾール製品の内容物の誤噴射を更に確実に防止することができる。
【００１７】
また、本発明のトリガー式エアゾール噴射器において、前記ステム延在方向における前記トリガーレバー部の位置は、前記ステム延在方向における前記被操作部の位置と比較して、前記ステム接触部が前記ステムを押す方向に存在しても良い。
【００１８】
この構成により、本発明のトリガー式エアゾール噴射器は、ボタンのトリガーレバー部に対してトリガーレバー部が利用者によって引かれる方向にストッパーの被操作部が存在しないので、利用者がトリガーレバー部に指を引っ掛けている状態であっても、利用者によるストッパーの被操作部の操作を容易に可能とすることができる。
【００１９】
本発明のエアゾール製品は、上述のトリガー式エアゾール噴射器と、前記容器と、前記容器に取り付けられた前記エアゾールバルブとを備えており、前記トリガー式エアゾール噴射器の前記カバーは、前記容器および前記マウンティングカップの少なくとも一方に取り付けられていることを特徴とする。
【００２０】
この構成により、本発明のエアゾール製品は、内容物の誤噴射の防止と、内容物の連続した噴射との少なくとも一方を実行することができる。
【発明の効果】
【００２１】
本発明のトリガー式エアゾール噴射器は、エアゾール製品の内容物の誤噴射の防止と、エアゾール製品の内容物の連続した噴射との少なくとも一方を実行することができる。
【図面の簡単な説明】
【００２２】
【図１】本発明の一実施の形態に係るエアゾール製品の一部破断右側面図であって、トリガー式エアゾール噴射器の近傍の図である。
【図２】（ａ）は、図１に示すトリガー式エアゾール噴射器の右側面図である。（ｂ）は、図１に示すトリガー式エアゾール噴射器の右側面断面図である。
【図３】（ａ）は、図１に示すトリガー式エアゾール噴射器の正面図である。（ｂ）は、図２（ａ）のＩ−Ｉ矢視断面図である。
【図４】図１に示すカバーの外観斜視図である。
【図５】図１に示すストッパーの外観斜視図である。
【図６】内容物の誤噴射を防止している場合の図１に示すエアゾール製品の一部破断右側面図であって、トリガー式エアゾール噴射器の近傍の図である。
【図７】内容物を連続して噴射している場合の図１に示すエアゾール製品の一部破断右側面図であって、トリガー式エアゾール噴射器の近傍の図である。
【発明を実施するための形態】
【００２３】
以下、本発明の一実施の形態について、図面を用いて説明する。
【００２４】
まず、本実施の形態に係るエアゾール製品の構成について説明する。
【００２５】
図１は、本実施の形態に係るエアゾール製品１０の一部破断右側面図であって、トリガー式エアゾール噴射器４０の近傍の図である。
【００２６】
図１に示すように、エアゾール製品１０は、内容物を収納する容器２０と、容器２０に取り付けられたエアゾールバルブ３０と、エアゾールバルブ３０と組み合わせて使用される合成樹脂製のトリガー式エアゾール噴射器４０とを備えている。
【００２７】
エアゾールバルブ３０は、自身が延在する方向である矢印３１ａおよび矢印３１ｂで示すステム延在方向のち矢印３１ａで示す方向に押されることによってエアゾール製品１０の内容物の噴射を行うステム３１と、容器２０に取り付けられるマウンティングカップ３２とを備えている。
【００２８】
ここで、矢印３１ａで示す方向は、後述するボタン６０の後述するステム接触部６３がステム３１を押す方向であり、本発明の第１の方向である。また、矢印３１ｂで示す方向は、矢印３１ａで示す方向の反対方向であり、本発明の第２の方向である。
【００２９】
図２（ａ）は、トリガー式エアゾール噴射器４０の右側面図である。図２（ｂ）は、トリガー式エアゾール噴射器４０の右側面断面図である。図３（ａ）は、トリガー式エアゾール噴射器４０の正面図である。図３（ｂ）は、図２（ａ）のＩ−Ｉ矢視断面図である。
【００３０】
図１〜図３に示すように、トリガー式エアゾール噴射器４０は、容器２０およびマウンティングカップ３２に取り付けられるカバー５０と、カバー５０が容器２０およびマウンティングカップ３２に取り付けられた状態で利用者の操作に応じて矢印３１ａで示すステム延在方向にステム３１を押すトリガー式のボタン６０と、ボタン６０に取り付けられた噴口部材７０と、利用者の操作に応じてボタン６０の位置の変化を防止するストッパー８０とを備えている。
【００３１】
カバー５０は、マウンティングカップ３２に合成樹脂の弾性変形を利用した引っ掛かりによって連結される爪部５１を備えている。すなわち、カバー５０にマウンティングカップ３２が挿入される場合、カバー５０の爪部５１がマウンティングカップ３２に乗り上げることによってカバー５０が一時的に弾性変形するので、図１に示すようにカバー５０にマウンティングカップ３２が挿入されることができる。マウンティングカップ３２およびカバー５０の状態が図１に示す状態である場合、カバー５０の爪部５１がマウンティングカップ３２に引っ掛かることによって、マウンティングカップ３２およびカバー５０は容易に分離しない。
【００３２】
また、カバー５０は、ボタン６０の後述する支点部６１を支持するボタン支持部５２を備えている。
【００３３】
図４は、カバー５０の外観斜視図である。
【００３４】
図２〜図４に示すように、カバー５０は、ストッパー８０を移動可能に支持するガイド部５３を備えている。また、カバー５０は、ストッパー８０の後述する被操作部８２が挿入される穴５４が形成されている。穴５４は、後述する位置変化防止解除位置にストッパー８０が存在する状態の時にストッパー８０の被操作部８２が挿入される幅広部５４ａと、後述する位置変化防止位置にストッパー８０が存在する状態の時にストッパー８０の被操作部８２が挿入される幅広部５４ｂとを有している。
【００３５】
図１〜図３に示すように、ボタン６０は、ボタン６０の回転の中心となる支点部６１と、利用者によって操作されるトリガーレバー部６２と、ステム３１に接触するためのステム接触部６３と、ストッパー８０に接触するためのストッパー接触部６４とを備えている。
【００３６】
図５は、ストッパー８０の外観斜視図である。
【００３７】
図２、図３および図５に示すように、ストッパー８０は、カバー５０のガイド部５３に支持される被ガイド部８１と、利用者によって操作される被操作部８２と、ストッパー接触部６４に接触するためのボタン接触部８３とを備えており、
【００３８】
図６は、内容物の誤噴射を防止している場合のエアゾール製品１０の一部破断右側面図であって、トリガー式エアゾール噴射器４０の近傍の図である。図７は、内容物を連続して噴射している場合の図１に示すエアゾール製品１０の一部破断右側面図であって、トリガー式エアゾール噴射器４０の近傍の図である。
【００３９】
ストッパー８０は、図６および図７に示すように、矢印３１ａまたは矢印３１ｂで示すステム延在方向におけるボタン６０のステム接触部６３の位置の変化をボタン接触部８３でボタン６０のストッパー接触部６４に接触することによって防止する位置である位置変化防止位置に移動可能である。ストッパー８０の被操作部８２は、ストッパー８０が位置変化防止位置に存在する状態において、カバー５０の穴５４の幅広部５４ｂ（図４参照。）に挿入されている。
【００４０】
また、ストッパー８０は、図１に示すように、矢印３１ａまたは矢印３１ｂで示すステム延在方向におけるボタン６０のストッパー接触部６４の位置の変化の防止を解除する位置である位置変化防止解除位置に移動可能である。ストッパー８０の被操作部８２は、ストッパー８０が位置変化防止解除位置に存在する状態において、カバー５０の穴５４の幅広部５４ａ（図４参照。）に挿入されている。
【００４１】
なお、図６に示すように、ストッパー８０の位置が位置変化防止位置である場合、矢印３１ａおよび矢印３１ｂで示すステム延在方向におけるボタン６０のステム接触部６３の位置は、矢印３１ｂで示す方向におけるストッパー８０のボタン接触部８３の端８３ａが矢印３１ａで示す方向におけるボタン６０のストッパー接触部６４の端６４ａに接触しているとき、ステム接触部６３がステム３１に接触しない位置である。
【００４２】
また、図７に示すように、ストッパー８０の位置が位置変化防止位置である場合、矢印３１ａおよび矢印３１ｂで示すステム延在方向におけるボタン６０のステム接触部６３の位置は、矢印３１ａで示す方向におけるストッパー８０のボタン接触部８３の端８３ｂが矢印３１ｂで示す方向におけるボタン６０のストッパー接触部６４の端６４ｂに接触しているとき、ステム接触部６３がステム３１を押す位置である。
【００４３】
また、ボタン６０のトリガーレバー部６２が利用者によって引かれる矢印６２ａで示す方向と、ストッパー８０の被操作部８２が利用者によって移動させられる矢印８０ａおよび矢印８０ｂで示す方向とは、略平行である。特に、ストッパー８０の位置変化防止位置に対する位置変化防止解除位置の方向である矢印８０ａで示す方向は、ボタン６０のトリガーレバー部６２が利用者によって引かれる矢印６２ａで示す方向と略同一である。
【００４４】
また、矢印３１ａおよび矢印３１ｂで示すステム延在方向におけるボタン６０のトリガーレバー部６２の位置は、矢印３１ａおよび矢印３１ｂで示すステム延在方向におけるストッパー８０の被操作部８２の位置と比較して、ボタン６０のステム接触部６３がステム３１を押す方向である矢印３１ａで示す方向に存在している。
【００４５】
次に、エアゾール製品１０の製造方法について説明する。
【００４６】
まず、ストッパー８０の被ガイド部８１がカバー５０のガイド部５３に挿入されて、ストッパー８０の被操作部８２がカバー５０の穴５４に挿入されることによって、ストッパー８０がカバー５０に支持される。
【００４７】
次いで、噴口部材７０が取り付けられたボタン６０の支点部６１がカバー５０のボタン支持部５２に支持されることによって、トリガー式エアゾール噴射器４０が製造される。
【００４８】
次いで、ボタン６０のトリガーレバー部６２が矢印３１ｂで示す方向に移動させられた後、ストッパー８０の被操作部８２がカバー５０の穴５４の幅広部５４ｂに存在するように被操作部８２が矢印８０ｂで示す方向に移動させられることによって、トリガー式エアゾール噴射器４０が図６に示す状態にさせられる。
【００４９】
最後に、エアゾールバルブ３０が取り付けられた容器２０にトリガー式エアゾール噴射器４０がカバー５０の爪部５１によって取り付けられることによって、図６に示すように、エアゾール製品１０が製造される。
【００５０】
次に、エアゾール製品１０の使用方法について説明する。
【００５１】
図６または図７に示す状態であるエアゾール製品１０は、ストッパー８０の被操作部８２がカバー５０の穴５４の幅広部５４ａに存在するように被操作部８２が利用者によって矢印８０ａで示す方向に移動させられることによって、図１に示す状態になる。
【００５２】
エアゾール製品１０は、図１に示す状態である場合、ボタン６０のトリガーレバー部６２が利用者によって矢印６２ａで示す方向に引かれると、ボタン６０が支点部６１を中心に回転して、ボタン６０のステム接触部６３がステム３１を押す。ボタン６０のステム接触部６３がステム３１を押すと、容器２０に収納された内容物がステム３１から噴射される。そして、ステム３１から噴射された内容物は、ボタン６０内の流路を介して噴口部材７０からエアゾール製品１０の外部に噴射される。
【００５３】
図１に示す状態であるエアゾール製品１０は、ボタン６０のトリガーレバー部６２が利用者によって矢印３１ｂで示す方向に移動させられた後、ストッパー８０の被操作部８２がカバー５０の穴５４の幅広部５４ｂに存在するように被操作部８２が利用者によって矢印８０ｂで示す方向に移動させられることによって、図６に示す状態になる。
【００５４】
エアゾール製品１０は、図６に示す状態である場合、ボタン６０のトリガーレバー部６２が利用者によって矢印６２ａで示す方向に引かれたとしても、ボタン６０のストッパー接触部６４の端６４ａがストッパー８０のボタン接触部８３の端８３ａに接触しているので、支点部６１を中心としたボタン６０の回転が防止される。すなわち、エアゾール製品１０は、容器２０に収納された内容物を外部に噴射することが防止される。
【００５５】
また、図１に示す状態であるエアゾール製品１０は、ボタン６０のトリガーレバー部６２が利用者によって矢印３１ａで示す方向に移動させられた後、ストッパー８０の被操作部８２がカバー５０の穴５４の幅広部５４ｂに存在するように被操作部８２が利用者によって矢印８０ｂで示す方向に移動させられることによって、図７に示す状態になる。
【００５６】
エアゾール製品１０は、図７に示す状態である場合、ボタン６０のステム接触部６３がステム３１を押しているままであるので、容器２０内のガスが無くならない限り、容器２０に収納された内容物を外部に噴射し続ける。
【００５７】
以上に説明したように、トリガー式エアゾール噴射器４０は、図６に示すように、ボタン６０のうちステム３１に接触するためのステム接触部６３の位置の変化をストッパー８０によって防止することができるので、エアゾール製品１０の内容物の誤噴射の防止を実行することができる。なお、トリガー式エアゾール噴射器４０は、利用者によって図６に示す状態にされることによって、エアゾール製品１０の内容物の誤噴射を防止することができるだけではなく、エアゾール製品１０の製造時にもエアゾール製品１０の内容物の誤噴射を防止することができる。すなわち、トリガー式エアゾール噴射器４０は、図６に示す状態にされていることによって、エアゾールバルブ３０が取り付けられた容器２０にトリガー式エアゾール噴射器４０が取り付けられる時に、ボタン６０のステム接触部６３が誤ってステム３１を押すことを防止することができる。
【００５８】
また、トリガー式エアゾール噴射器４０は、図７に示すように、ボタン６０のうちステム３１に接触するためのステム接触部６３の位置の変化をストッパー８０によって防止することができるので、エアゾール製品１０の内容物の連続した噴射を実行することができる。
【００５９】
トリガー式エアゾール噴射器４０は、ストッパー８０の位置が位置変化防止位置である場合、図６に示すように矢印３１ｂで示す方向におけるストッパー８０のボタン接触部８３の端８３ａが矢印３１ａで示す方向におけるボタン６０のストッパー接触部６４の端６４ａに接触することと、図７に示すように矢印３１ａで示す方向におけるストッパー８０のボタン接触部８３の端８３ｂが矢印３１ｂで示す方向におけるボタン６０のストッパー接触部６４の端６４ｂに接触することとが可能であるので、エアゾール製品１０の内容物の誤噴射の防止と、エアゾール製品１０の内容物の連続した噴射との両方を１つのストッパー８０によって実行することができる。
【００６０】
なお、トリガー式エアゾール噴射器４０は、本実施の形態において、エアゾール製品１０の内容物の誤噴射の防止と、エアゾール製品１０の内容物の連続した噴射との両方を実行することができるようになっているが、エアゾール製品１０の内容物の誤噴射の防止と、エアゾール製品１０の内容物の連続した噴射との何れか一方のみを実行することができるようになっていても良い。すなわち、トリガー式エアゾール噴射器４０は、図６に示す状態と、図７に示す状態との何れか一方になることができないようになっていても良い。
【００６１】
また、トリガー式エアゾール噴射器４０は、ボタン６０のトリガーレバー部６２が利用者によって引かれる矢印６２ａで示す方向と、ストッパー８０の被操作部８２が利用者によって移動させられる矢印８０ａおよび矢印８０ｂで示す方向とが略平行であるので、トリガー式エアゾール噴射器４０は、ボタン６０のトリガーレバー部６２と、ストッパー８０の被操作部８２とに操作方向における共通性がある。したがって、トリガー式エアゾール噴射器４０は、利用者の操作性を向上することができる。
【００６２】
なお、トリガー式エアゾール噴射器は、ステム延在方向におけるボタンのステム接触部の位置の変化をストッパーのボタン接触部でボタンのストッパー接触部に接触することによって防止する位置である位置変化防止位置と、ステム延在方向におけるボタンのステム接触部の位置の変化の防止を解除する位置である位置変化防止解除位置とに移動可能にストッパーがカバーに支持されていれば、ボタンのトリガーレバー部が利用者によって引かれる方向と、ストッパーの被操作部が利用者によって移動させられる方向とが略平行でなくても良い。例えば、トリガー式エアゾール噴射器は、ストッパーの被操作部が利用者によって移動させられる方向が、ボタンのトリガーレバー部が利用者によって引かれる方向と直交するようになっていても良い。
【００６３】
また、トリガー式エアゾール噴射器４０は、ストッパー８０の位置変化防止位置に対する位置変化防止解除位置の方向である矢印８０ａで示す方向は、ボタン６０のトリガーレバー部６２が利用者によって引かれる矢印６２ａで示す方向と略同一である。すなわち、トリガー式エアゾール噴射器４０は、ボタン６０のトリガーレバー部６２が利用者によって引かれる矢印６２ａで示す方向と、トリガーレバー部６２が利用者によって引かれることができるようにするためにストッパー８０の被操作部８２が利用者によって操作される方向、すなわち、矢印８０ａで示す方向とが略同一である。したがって、トリガー式エアゾール噴射器４０は、ボタン６０のトリガーレバー部６２と、ストッパー８０の被操作部８２とに操作方向における強い共通性があり、利用者の操作性を更に向上することができる。
【００６４】
なお、トリガー式エアゾール噴射器は、ストッパーの位置変化防止位置に対する位置変化防止解除位置の方向が、ボタンのトリガーレバー部が利用者によって引かれる方向と反対方向であっても良い。
【００６５】
また、トリガー式エアゾール噴射器４０は、ストッパー８０の位置が位置変化防止位置である場合、矢印３１ｂで示す方向におけるストッパー８０のボタン接触部８３の端８３ａが矢印３１ａで示す方向におけるボタン６０のストッパー接触部６４の端６４ａに接触しているとき、矢印３１ａおよび矢印３１ｂで示すステム延在方向におけるボタン６０のステム接触部６３の位置が図６に示すようにステム接触部６３がステム３１に接触しない位置であるので、ステム接触部６３がステム３１に接触する構成と比較して、例えばボタン６０が衝撃を受けた場合に部材の変形などによってステム接触部６３がステム３１を押してしまう可能性を低減することができる。したがって、トリガー式エアゾール噴射器４０は、ボタン６０に対するストッパー８０の位置が図６に示す位置である場合にボタン６０のステム接触部６３がステム３１に接触する構成と比較して、例えばボタン６０が衝撃を受けた場合にエアゾール製品１０の内容物の誤噴射を更に確実に防止することができる。
【００６６】
なお、ストッパー８０の位置が位置変化防止位置である場合、矢印３１ｂで示す方向におけるストッパー８０のボタン接触部８３の端８３ａが矢印３１ａで示す方向におけるボタン６０のストッパー接触部６４の端６４ａに接触しているとき、矢印３１ａおよび矢印３１ｂで示すステム延在方向におけるボタン６０のステム接触部６３の位置は、本実施の形態において図６に示すようにステム接触部６３がステム３１に接触しない位置であったが、ステム接触部６３がステム３１を押す位置でなければ、ステム接触部６３がステム３１に接触している位置であっても良い。
【００６７】
また、トリガー式エアゾール噴射器４０は、矢印３１ａおよび矢印３１ｂで示すステム延在方向におけるボタン６０のトリガーレバー部６２の位置が、矢印３１ａおよび矢印３１ｂで示すステム延在方向におけるストッパー８０の被操作部８２の位置と比較して、ボタン６０のステム接触部６３がステム３１を押す方向である矢印３１ａで示す方向に存在しているので、ボタン６０のトリガーレバー部６２に対してトリガーレバー部６２が利用者によって引かれる矢印６２ａで示す方向にストッパー８０の被操作部８２が存在しない。したがって、トリガー式エアゾール噴射器４０は、利用者がトリガーレバー部６２に指を引っ掛けている状態であっても、利用者によるストッパー８０の被操作部８２の操作を容易に可能とすることができる。
【００６８】
なお、カバー５０は、本実施の形態において容器２０およびマウンティングカップ３２に取り付けられるようになっているが、容器２０およびマウンティングカップ３２の何れか一方のみに取り付けられるようになっていても良い。
【符号の説明】
【００６９】
１０  エアゾール製品
２０  容器
３０  エアゾールバルブ
３１  ステム
３１ａ  矢印（ステム延在方向を示す矢印、第１の方向を示す矢印）
３１ｂ  矢印（ステム延在方向を示す矢印、第２の方向を示す矢印）
３２  マウンティングカップ
４０  トリガー式エアゾール噴射器
５０  カバー
６０  ボタン
６２  トリガーレバー部
６２ａ  矢印（トリガーレバー部が利用者によって引かれる方向を示す矢印）
６３  ステム接触部
６４  ストッパー接触部
６４ａ  端（第１の方向における端）
６４ｂ  端（第２の方向における端）
８０  ストッパー
８０ａ  矢印（被操作部が利用者によって移動させられる方向を示す矢印、位置変化防止位置に対する位置変化防止解除位置の方向を示す矢印）
８０ｂ  矢印（被操作部が利用者によって移動させられる方向を示す矢印）
８２  被操作部
８３  ボタン接触部
８３ａ  端（第２の方向における端）
８３ｂ  端（第１の方向における端）
【図１】
2014001001.tif 000003
【図２】
2014001001.tif 000004
【図３】
2014001001.tif 000005
【図４】
2014001001.tif 000006
【図５】
2014001001.tif 000007
【図６】
2014001001.tif 000008
【図７】
2014001001.tif 000009